(57)【要約】【課題】屋内向けに端末の位置を高精度に特定する測位技術において、ＢｌｕｅｔｏｏｔｈやＲＦIＤ等の微弱電波を発信する発信機や赤外線を発信する発信機を利用する測位技術を導入する際に、発信機を設置する設置コストが高い。【解決手段】既設の照明設備から電力を取得し、ＢｌｕｅｔｏｏｔｈやＲＦIＤ等の微弱電波を発信する発信機や赤外線を発信する発信機を駆動する。【選択図】  図１
2007074724.tif 000002
【特許請求の範囲】
【請求項１】
蛍光灯と、この蛍光灯を点灯させる安定器とを有する照明装置に接続され、この照明装置の内部回路から電力を取得する電源回路であって、
前記電源回路は、前記内部回路と電気的に絶縁する絶縁部を有していることを特徴とする電源回路。
【請求項２】
前記絶縁部は、トランスによって構成されていることを特徴とする請求項１に記載の電源回路。
【請求項３】
前記電源回路は、
入力された電圧を整流して出力する整流部と、
前記照明装置と接続可能なインターフェースと、
外部電気機器と接続可能なインターフェースと
を有していることを特徴とする請求項１に記載の電源回路。
【請求項４】
前記電源回路は、
入力された電圧を昇圧して出力する昇圧部と、
前記照明装置と接続可能なインターフェースと、
外部電気機器と接続可能なインターフェースと
を有していることを特徴とする請求項１に記載の電源回路。
【請求項５】
前記昇圧部は、
印加される電圧が所定の第一の条件を満たす場合にのみ動作する動作制御部と、
前記動作制御部に接続され、前記照明装置が起動してから所定の時間が経過後に前記第一の条件を満足する電圧を前記動作制御部に対して印加する起動遅延部と
を有していることを特徴とする請求項４に記載の電源回路。
【請求項６】
前記電源回路は、
入力された電流を蓄積しておき、必要に応じて出力する蓄電部を有することを特徴とする請求項３又は請求項４に記載の電源回路。
【請求項７】
前記絶縁部が、前記照明装置の内部に構成されていることを特徴とする請求項１に記載の電源回路。
【請求項８】
前記絶縁部が、前記蛍光灯に構成されていることを特徴とする請求項１に記載の電源回路。
【請求項９】
前記絶縁部が、前記蛍光灯の内部の予熱用フィラメントに並列になるように接続されていることを特徴とする請求項１に記載の電源回路。
【請求項１０】
前記絶縁部が、前記安定器に構成されていることを特徴とする請求項１に記載の電源回路。
【請求項１１】
前記整流部が、前記照明装置の内部に構成されていることを特徴とする請求項７に記載の電源回路。
【請求項１２】
前記整流部が、前記蛍光灯に構成されていることを特徴とする請求項８に記載の電源回路。
【請求項１３】
前記整流部が、前記安定器に構成されていることを特徴とする請求項１０に記載の電源回路。
【請求項１４】
前記昇圧部が、前記照明装置の内部に構成されていることを特徴とする請求項１１に記載の電源回路。
【請求項１５】
前記昇圧部が、前記蛍光灯に構成されていることを特徴とする請求項１２に記載の電源回路。
【請求項１６】
前記昇圧部が、前記安定器に構成されていることを特徴とする請求項１３に記載の電源回路。
【請求項１７】
前記起動遅延部が、前記照明装置の内部に構成されていることを特徴とする請求項１４に記載の電源回路。
【請求項１８】
前記起動遅延部が、前記蛍光灯に構成されていることを特徴とする請求項１５に記載の電源回路。
【請求項１９】
前記起動遅延部が、前記安定器に構成されていることを特徴とする請求項１６に記載の電源回路。
【請求項２０】
前記蓄電部が、前記照明装置の内部に構成されていることを特徴とする請求項１７に記載の電源回路。
【請求項２１】
前記蓄電部が、前記蛍光灯に構成されていることを特徴とする請求項１８に記載の電源回路。
【請求項２２】
前記蓄電部が、前記安定器に構成されていることを特徴とする請求項１９に記載の電源回路。
【請求項２３】
電源回路であって、
照明装置の内部回路から取得した電力を電磁誘導によって伝達する伝達部と、
前記伝達部が伝達した電力を用いて信号を発信する発信機を接続するインターフェースと
を有し、
前記伝達部は、前記照明装置と前記インターフェースとを電気的に絶縁するように構成されていることを特徴とする電源回路。
【請求項２４】
照明システムであって、
既設の照明装置の内部回路から取得した電力を電磁誘導によって伝達する伝達部と、
前記伝達部からの電力を用いて動作する外部電気機器と接続するインターフェースと
を有し、
前記伝達部は、前記照明装置と前記インターフェースとを電気的に絶縁していることを特徴とする照明システム。
【請求項２５】
前記伝達部は、トランスによって構成されていることを特徴とする請求項２４に記載の照明システム。
【請求項２６】
前記伝達部からの電圧を整流する整流部を有することを特徴とする請求項２４に記載の照明システム。
【請求項２７】
前記内部回路は、前記照明装置に設けられている安定器と蛍光灯とを接続するケーブル、又は前記照明装置に設けられている蛍光灯の予熱用フィラメントであることを特徴とする請求項２４に記載の照明システム。
【請求項２８】
前記伝達部から入力された電圧を昇圧して前記インターフェースに出力する昇圧部
を有していることを特徴とする請求項２４に記載の照明システム。
【請求項２９】
前記昇圧部は、
印加される電圧が所定の第一の条件を満たす場合にのみ動作する動作制御部と、
前記照明装置が起動してから所定の時間が経過後に、前記第一の条件を満足する電圧を前記動作制御部に対して印加する起動遅延部と
を有していることを特徴とする請求項２８に記載の照明システム。
【請求項３０】
前記伝達部からの電流を蓄積しておき、必要に応じて出力する蓄電部を有することを特徴とする請求項２４に記載の照明システム。
【請求項３１】
前記伝達部が、前記蛍光灯の予熱用フィラメントに並列になるように接続されていることを特徴とする請求項２４に記載の照明システム。
【発明の詳細な説明】
【技術分野】
【０００１】
本発明は、電源回路に関し、特に照明装置の内部回路から電力を取得する電源回路に関する。
【背景技術】
【０００２】
屋内において、高精度に端末の位置を特定するための技術が注目されている。具体的には企業や店舗等が設定する無線ＬＡＮ(Ｌｏｃａｌ Ａｒｅａ Ｎｅｔｗｏｒｋ)の信号を用いる技術や、Ｂｌｕｅｔｏｏｔｈ(ブルートゥース)やＲＦＩＤ(Ｒａｄｉｏ Ｆｒｅｑｕｅｎｃｙ Ｉｄｅｎｔｉｆｉｃａｔｉｏｎ)などを用いる位置特定技術が知られている。【０００３】
一般に、無線ＬＡＮを用いて高精度に端末の位置を特定するためには、３つ以上の無線ＬＡＮ基地局からの信号が受信できる必要があり、何の設計もなされず、適当な位置に基地局が設置されることの多い無線ＬＡＮでは、３つ以上の無線ＬＡＮ基地局からの信号が受信できる保証がない。【０００４】
ＢｌｕｅｔｏｏｔｈやＲＦＩＤ等の微弱電波を発信する発信機や赤外線を発信する発信機を用いた端末の位置特定の場合、端末側は微弱電波や赤外線の受信機能を有している。端末が微弱電波や赤外線を受信した場合、その微弱電波あるいは赤外線を発信している発信機の位置を端末の位置とする。従って、微弱電波や赤外線の到達距離が測位精度となり、ピンポイントでの測位が可能になるが、発信機を壁や天井に数多く配置する必要がある。【０００５】
しかしながら、ＢｌｕｅｔｏｏｔｈやＲＦＩＤ等の微弱電波を発信する発信機あるいは赤外線を発信する発信機を設置する設置コストが高くなってしまうという問題点があった。これは、ＢｌｕｅｔｏｏｔｈやＲＦＩＤ等の微弱電波を発信する発信機や赤外線を発信する発信機毎に電源の確保が必要であり、そのための電源工事費用がかかるためである。
【発明の開示】
【発明が解決しようとする課題】
【０００６】
上記問題点を解決するために、照明装置に発信機を接続させ、照明装置から電力を確保し、微弱電波を発信させる技術がある。【０００７】
しかしながら、上記したように、高精度に端末の位置を特定するためには、発信機を数多く配置する必要がある。そのため、発信機を使用していない場合でも、照明装置から電力を取得してしまい、電力を損失させてコストが増してしまう可能性がある。【０００８】
又、照明装置に接続された発信機に漏電やショート等の問題が発生した場合、照明装置にまで影響を及ぼしてしまう可能性がある。【０００９】
そこで、本発明が解決しようとする課題は上記問題点を解決することであって、屋内における高精度な端末の位置特定技術を低コストで実現する技術を提供することにある。【００１０】
また、本発明が解決しようとする課題は、照明装置に接続された発信機に漏電やショート等の問題が発生しても、照明装置に影響を与えないようにする技術を提供することにある。【００１１】
更に、照明装置の蛍光灯の寿命に影響を与えない技術を提供することにある。
【課題を解決するための手段】
【００１２】
上記課題を解決するための第１の発明は、
蛍光灯と、この蛍光灯を点灯させる安定器とを有する照明装置に接続され、この照明装置の内部回路から電力を取得する電源回路であって、
前記電源回路は、前記内部回路と電気的に絶縁する絶縁部を有していることを特徴とする。【００１３】
上記課題を解決するための第２の発明は、上記第１の発明において、
前記絶縁部は、トランスによって構成されていることを特徴とする。【００１４】
上記課題を解決するための第３の発明は、上記第１又は第２の発明において、
前記電源回路は、
入力された電圧を整流して出力する整流部と、
前記照明装置と接続可能なインターフェースと、
外部電気機器と接続可能なインターフェースと
を有していることを特徴とする。【００１５】
上記課題を解決するための第４の発明は、上記第１又は第２の発明において、
前記電源回路は、
入力された電圧を昇圧して出力する昇圧部と、
前記照明装置と接続可能なインターフェースと、
外部電気機器と接続可能なインターフェースと
を有していることを特徴とする。【００１６】
上記課題を解決するための第５の発明は、上記第４の発明において、
前記昇圧部は、
印加される電圧が既定の第一の条件を満たす場合にのみ動作する動作制御部と、
前記動作制御部に接続され、前記照明装置が起動してから既定の時間が経過後に前記第一の条件を満足する電圧を前記動作制御部に対して印加する起動遅延部と
を有していることを特徴とする。【００１７】
上記課題を解決するための第６の発明は、上記第１から第５のいずれかの発明において、
前記電源回路は、
入力された電流を蓄積しておき、必要に応じて出力する蓄電部を有することを特徴とする。【００１８】
上記課題を解決するための第７の発明は、上記第１から第６のいずれかの発明において、
前記絶縁部が、前記照明装置の内部に構成されていることを特徴とする。【００１９】
上記課題を解決するための第８の発明は、上記第１から第６のいずれかの発明において、
前記絶縁部が、前記蛍光灯に構成されていることを特徴とする。【００２０】
上記課題を解決するための第９の発明は、上記第１から第８のいずれかの発明において、
前記絶縁部が、前記蛍光灯の内部の予熱用フィラメントに並列になるように接続されていることを特徴とする。【００２１】
上記課題を解決するための第１０の発明は、上記第１から第９のいずれかの発明において、
前記絶縁部が、前記安定器に構成されていることを特徴とする。【００２２】
上記課題を解決するための第１１の発明は、上記第７の発明において、
前記整流部が、前記照明装置の内部に構成されていることを特徴とする。【００２３】
上記課題を解決するための第１２の発明は、上記第８の発明において、
前記整流部が、前記蛍光灯に構成されていることを特徴とする。【００２４】
上記課題を解決するための第１３の発明は、上記第１０の発明において、
前記整流部が、前記安定器に構成されていることを特徴とする。【００２５】
上記課題を解決するための第１４の発明は、上記第１１の発明において、
前記昇圧部が、前記照明装置の内部に構成されていることを特徴とする。【００２６】
上記課題を解決するための第１５の発明は、上記第１２の発明において、
前記昇圧部が、前記蛍光灯に構成されていることを特徴とする。【００２７】
上記課題を解決するための第１６の発明は、上記第１３の発明において、
前記昇圧部が、前記安定器に構成されていることを特徴とする。【００２８】
上記課題を解決するための第１７の発明は、上記第１４の発明において、
前記起動遅延部が、前記照明装置の内部に構成されていることを特徴とする。【００２９】
上記課題を解決するための第１８の発明は、上記第１５の発明において、
前記起動遅延部が、前記蛍光灯に構成されていることを特徴とする。【００３０】
上記課題を解決するための第１９の発明は、上記第１６の発明において、
前記起動遅延部が、前記安定器に構成されていることを特徴とする。【００３１】
上記課題を解決するための第２０の発明は、上記第１４又は第１７の発明において、
前記蓄電部が、前記照明装置の内部に構成されていることを特徴とする。【００３２】
上記課題を解決するための第２１の発明は、上記第１５又は第１８の発明において、
前記蓄電部が、前記蛍光灯に構成されていることを特徴とする。【００３３】
上記課題を解決するための第２２の発明は、上記第１６又は第１９の発明において、
前記蓄電部が、前記安定器に構成されていることを特徴とする。【００３４】
上記課題を解決するための第２３の発明は、
電源回路であって、
照明装置の内部回路から取得した電力を電磁誘導によって伝達する伝達部と、
前記伝達部が伝達した電力を用いて信号を発信する発信機を接続するインターフェースと
を有し、
前記伝達部は、前記照明装置と前記インターフェースとを電気的に絶縁するように構成されていることを特徴とする。【００３５】
上記課題を解決するための第２４の発明は、照明システムであって、
既設の照明装置の内部回路から取得した電力を電磁誘導によって伝達する伝達部と、
前記伝達部からの電力を用いて動作する外部電気機器と接続するインターフェースと
を有し、
前記伝達部は、前記照明装置と前記インターフェースとを電気的に絶縁していることを特徴とする。【００３６】
上記課題を解決するための第２５の発明は、上記第２４の発明において、前記伝達部は、トランスによって構成されていることを特徴とする。【００３７】
上記課題を解決するための第２６の発明は、上記第２４又は２５の発明において、前記伝達部からの電圧を整流する整流部を有することを特徴とする。【００３８】
上記課題を解決するための第２７の発明は、上記第２４から２６のいずれかの発明において、前記内部回路は、前記照明装置に設けられている安定器と蛍光灯とを接続するケーブル、又は前記照明装置に設けられている蛍光灯の予熱用フィラメントであることを特徴とする。【００３９】
上記課題を解決するための第２８の発明は、上記第２４から２７のいずれかの発明において、前記伝達部から入力された電圧を昇圧して前記インターフェースに出力する昇圧部
を有していることを特徴とする。【００４０】
上記課題を解決するための第２９の発明は、上記第２８の発明において、前記昇圧部は、
印加される電圧が所定の第一の条件を満たす場合にのみ動作する動作制御部と、
前記照明装置が起動してから所定の時間が経過後に、前記第一の条件を満足する電圧を前記動作制御部に対して印加する起動遅延部と
を有していることを特徴とする。【００４１】
上記課題を解決するための第３０の発明は、上記第２４から２９のいずれかの発明において、
前記伝達部からの電流を蓄積しておき、必要に応じて出力する蓄電部を有することを特徴とする。【００４２】
上記課題を解決するための第３１の発明は、上記第２４から３０のいずれかの発明において、前記伝達部が、前記蛍光灯の予熱用フィラメントに並列になるように接続されていることを特徴とする。【００４３】
本発明は、照明装置の安定器及び蛍光灯を接続するケーブル、又は蛍光灯の予熱用フィラメント等の照明装置の内部回路から電力を取得する電源回路であって、この電源回路に接続されている外部電機機器に漏電やショート等の問題が発生した場合、照明装置に影響を与えないように、照明装置と電気的に絶縁していることを特徴とする電源回路である。
【発明の効果】
【００４４】
第一の効果は、屋内において高精度に端末の位置を特定する技術の導入コストを低減できることである。その理由は、既設の照明設備から外部機器に電源を供給する電源回路が、証明設備と電気的に絶縁されているため、電力損失が軽減されるからである。【００４５】
第二の効果は、安全に既設の照明装置から電力を取得できることである。その理由は、既設の照明設備から電気的に絶縁された電源回路によって外部機器に電源が供給されるからである。【００４６】
第三の効果は、既設の照明装置である蛍光灯の寿命に影響を与えないことである。その理由は、照明装置の起動から一定の時間経過後に電源回路が駆動を開始するため、蛍光灯点灯時の動作に電源回路が影響を与えないからである。
【図面の簡単な説明】
【００４７】
【図１】第１の実施の形態における照明装置と電源回路とのブロック図である。
【図２】絶縁部Ａ６の内部回路の一例を示す図である。
【図３】電圧変換部Ａ７の内部回路の一例を示す図である。
【図４】第１の実施の形態における電圧変換部Ｄ１の内部回路の一例を示す図である。
【図５】第１の実施の形態の変形例２における電圧変換部Ｖ１のブロック図である。
【図６】第２の実施の形態における照明装置Ｅ１と電源回路Ｅ２のブロック図である。
【図７】第２の実施の形態の変形例１における蛍光灯の構造を示す図である。
【図８】第２の実施の形態の変形例２における安定器のブロック図である。
【図９】第３の実施の形態における照明装置Ｈ１と電源回路Ｈ２のブロック図である。
【図１０】第３の実施の形態における電圧変換部Ｈ３の構成を示す図である。
【図１１】第３の実施の形態の変形例１における電圧変換部Ｈ３の構成を示す図である。
【図１２】第３の実施の形態の変形例２における蛍光灯の構造を示す図である。
【図１３】第３の実施の形態の変形例３における安定器Ｌ１の構成を示す図である。
【図１４】第４の実施の形態における照明装置Ｍ１の構成を示す図である。
【図１５】第４の実施の形態の変形例１における照明装置Ｎ１と電源回路の構成を示す図である。
【図１６】第４の実施の形態の変形例２における蛍光灯の構造を示す図である。
【図１７】第４の実施の形態の変形例２における蛍光灯の構造を示す図である。
【図１８】第４の実施の形態の変形例３における安定器のブロック図である。
【図１９】第４の実施の形態の変形例３における安定器のブロック図である。
【図２０】第４の実施の形態の変形例４における照明装置Ｗ１のブロック図である。
【図２１】第４の実施の形態の変形例４における蛍光灯Ａ４のブロック図である。
【図２２】第４の実施の形態の変形例４における安定器Ｙ１のブロック図である。
【図２３】第５の実施の形態における照明装置Ｓ１のブロック図である。
【図２４】第５の実施の形態の変形例１における蛍光灯の構造を示すブロック図である。
【図２５】第５の実施の形態の変形例２における安定器Ｕ１のブロック図である。
【図２６】第５の実施の形態の変形例３における照明装置Ｚ１のブロック図である。
【図２７】第５の実施の形態の変形例３における蛍光灯Ａ４のブロック図である。
【図２８】第５の実施の形態の変形例３における安定器ＡＢ１のブロック図である。
【符号の説明】
【００４８】
Ａ１、Ｅ１、Ｈ１、Ｍ１、Ｎ１、Ｓ１、Ｗ１、Ｚ１    照明装置
Ａ２、Ｅ２、Ｈ２、Ｎ２                            電源回路
Ａ３、Ｇ１、Ｌ１、Ｑ１、Ｕ１、Ｙ１、ＡＢ１        安定器
Ａ４                                              蛍光灯
Ａ５、Ｇ４                                        電力取得部
Ａ６、Ｆ１、Ｇ３                                  絶縁部
Ａ７、Ｄ１、Ｈ３、Ｖ１                            電圧変換部
Ａ８、Ｏ２、Ｑ３                                  外部機器接続インターフェース
Ａ９                                              照明機器接続インターフェース
Ｂ１                                              トランス
Ｃ１、Ｊ１、Ｌ２                                  整流回路
Ｃ２、Ｏ１、Ｑ２、Ｖ２、Ｘ１、Ｙ２                昇圧回路
Ｄ２、Ｔ１、Ｕ２                                  蓄電回路
Ｅ３、Ｇ５、Ｐ２                                  電源回路接続インターフェース
Ｆ２                                              予熱用フィラメント
Ｆ３                                              口金
Ｆ４                                              ガラス管
Ｖ３、Ｘ２、Ｙ３                                  起動遅延回路
Ｖ４、Ｘ３、Ｙ４                                  動作制御端子
【発明を実施するための最良の形態】
【００４９】
本発明は、照明装置の安定器及び蛍光灯を接続するケーブル、又は蛍光灯の予熱用フィラメント等の照明装置の内部回路から取得された電力を電磁誘導を利用して取得する電源回路であって、この電源回路に接続されている外部電機機器に漏電やショート等の問題が発生した場合、照明装置に影響を与えないように、照明装置と電気的に絶縁していることを特徴とする電源回路である。【００５０】
〈第１の実施の形態〉
次に、本発明の実施の形態について図面を参照して詳細に説明する。【００５１】
図１は、本発明における照明システムのブロック図であり、照明装置Ａ１と電源回路Ａ２との接続を示す図である。【００５２】
照明装置Ａ１は、安定器Ａ３と蛍光灯Ａ４とを有する。安定器Ａ３と蛍光灯Ａ４とは、互いに接続されており、安定器Ａ３は、蛍光灯を点灯させるのに十分な電圧を印加する。蛍光灯Ａ４は、安定器Ａ３から印加された電圧により点灯する。【００５３】
電源回路Ａ２は、絶縁部Ａ６と電圧変換部Ａ７とを有しており、照明装置接続インターフェースＡ９を介して電力取得部Ａ５と接続されている。電力取得部Ａ５は、照明装置Ａ１の安定器と蛍光灯とを接続しているケーブルから電力を取得する。絶縁部Ａ６は照明装置Ａ１と電源回路Ａ７とを電気的に絶縁する。【００５４】
外部機器接続インターフェースＡ８には各種電気機器が接続される。本実施の形態では、外部機器接続インターフェースＡ８を介して接続される電気機器として、端末の位置を測位するための微弱電波を発信する発信機である、赤外線発信機やＢｌｕｅｔｏｏｔｈ発信機、ＲＦIＤ発信機等を想定している。【００５５】
図２は絶縁部Ａ６の内部回路の一例である。【００５６】
絶縁部Ａ６はトランスＢ１で構成されている。トランスＢ１は、巻き数比１:１の絶縁トランスであり、電力取得部Ａ５が照明装置Ａ１から取得した電力を電圧変換部Ａ７に電磁誘導によって伝達するが、照明装置Ａ１と電圧変換部Ａ７とは電気的には絶縁されている。【００５７】
図３は電圧変換部Ａ７の内部回路の一例である。【００５８】
電圧変換部Ａ７は、整流回路Ｃ１と昇圧回路Ｃ２とを有する。整流回路Ｃ１は照明装置Ａ１から電力取得部Ａ５が取得した電圧を整流する。昇圧回路Ｃ２は外部機器接続インターフェースＡ８に接続される電気機器が要求する電圧に取得した電圧を昇圧する。【００５９】
外部機器接続インターフェースＡ８を介して接続される電気機器は、昇圧回路Ｃ２が昇圧した電圧を用いる。【００６０】
〈変形例１〉
外部機器接続インターフェースＡ８には、平均電力が小さく、電源回路Ａ２での駆動が十分に可能であるが動作時には瞬間的に大きな電流を必要とする電気機器が接続される可能性がある。その場合、流れる電流の大きさによっては、第１の実施の形態の電源回路Ａ２では電流を供給できないことがある。【００６１】
図４は本変形例における電圧変換部Ｄ１の内部回路の一例を示す図である。【００６２】
電圧変換部Ｄ１は、整流回路Ｃ１、昇圧回路Ｃ２、蓄電回路Ｄ２を有する。【００６３】
なお、整流回路Ｃ１、昇圧回路Ｃ２は、上記実施の形態と同一であるため、同一付番を付し、詳細な説明を省略する。【００６４】
蓄電回路Ｄ２は、例えばコンデンサなどで構成され、外部に接続される電気機器が大きな電流を必要としない間に電荷を蓄積し、外部機器接続インターフェースＡ８に接続される電気機器が大きな電流を必要とするときには、蓄積した電荷を放出することで電流供給を可能にする。【００６５】
〈変形例２〉
蛍光灯Ａ４の点灯時、安定器Ａ３からは蛍光灯Ａ４内部に存在する熱電子放出用のフィラメントを短時間で加熱するため、通常よりも大きな電流が流れる。このときに、電源回路Ａ２が電力を取得してしまうとフィラメントの温度が十分に上がらない状態で熱電子の放出が開始され、蛍光灯Ａ４の寿命に悪影響を及ぼす恐れがある。【００６６】
この問題を解決する方法としては、電圧変換部Ａ７の起動を遅らせる方法が考えられる。本変形例では、電圧変換部Ａ７の構成を変更したものである。【００６７】
図５は、本変形例の電圧変換部Ｖ１の構成を示す図である。【００６８】
電圧変換部Ｖ１は、整流回路Ｃ１と、昇圧回路Ｖ２と、起動遅延回路Ｖ３とを有する。なお、整流回路Ｃ１は、上記第１の実施の形態と同様であり、詳細な説明は省略する。【００６９】
昇圧回路Ｖ２は、動作制御端子Ｖ４を有しており、例えば動作制御端子Ｖ４に既定以上の電圧が印加されていないときには動作しない。【００７０】
起動遅延回路Ｖ３は、整流回路Ｃ１から電圧が印加されてから既定の時間が経過してから、動作制御端子Ｖ４に対して既定の電圧を印加する。これにより、昇圧回路Ｖ２の起動が、照明装置Ａ１の起動から既定の時間だけ遅れ、電圧変換部Ｖ１の起動を遅らせることができる。尚、規定の時間は、蛍光灯Ａ４の寿命に悪影響を及ぼさない程度で任意で設定すればよい。【００７１】
なお、動作制御端子Ｖ４に既定以下の電圧が印加されていないときには動作しないように昇圧回路Ｖ２を構成することも可能であるし、一定パターンの制御信号を受信した時のみ昇圧回路Ｖ２を起動するように構成することも可能である。これらの昇圧回路の構成方法に合わせて起動遅延回路Ｖ３を構成することで電圧変換部Ｖ３の起動を遅らせることができる。【００７２】
また、本変形例では電圧変換部Ａ７に起動遅延回路Ｖ３を負荷する形態で動作の説明を行ったが、電圧変換部Ｄ１の昇圧回路Ｃ２を昇圧回路Ｖ２に変更し、起動遅延回路Ｖ３を付加するように構成させることで同様の効果を得ることができる。【００７３】
〈第２の実施の形態〉
上記第１の実施の形態では、照明装置Ａ１の外部に電源回路Ａ２が接続され、電源回路Ａ２の内部回路として絶縁部Ａ６が存在している場合について説明した。本実施の形態では、絶縁部Ａ６が照明装置Ａ１の内部に位置している構成について説明する。【００７４】
図６は、本実施の形態における照明装置Ｅ１と電源回路Ｅ２との接続を示す図である。【００７５】
照明装置Ｅ１は、安定器Ａ３、蛍光灯Ａ４、及び絶縁部Ａ６を有し、電源回路接続インターフェースＥ３を介して、電源回路Ｅ２に接続される。なお、安定器Ａ３、蛍光灯Ａ４、及び絶縁部Ａ６については第１の実施の形態と同様であるため、説明を省略する。【００７６】
電源回路Ｅ２は電圧変換部Ａ７で構成され、外部機器接続インターフェースＡ８を介して外部機器と接続されている。【００７７】
〈変形例１〉
本実施の形態において、絶縁部は蛍光灯と一体化されていてもよい。そこで、本変形例では、絶縁部が蛍光灯と一体化されている場合について説明する。【００７８】
図７は、絶縁部と一体化された蛍光灯を示す図である。【００７９】
蛍光灯内部には、熱電子放出用フィラメントＦ２があり、絶縁部Ｆ１は予熱用フィラメントＦ２に対して、並列に接続される。なお、本変形例では一例として絶縁部Ｆ１は絶縁トランスによって構成されているとしている。【００８０】
絶縁部Ｆ１と電源回路Ｅ２とを接続するためのケーブルは、蛍光灯のガラス管Ｆ４と口金Ｆ３との間から取り出される。【００８１】
〈変形例２〉
本実施の形態において、絶縁部は安定器と一体化されてもよい。そこで、本変形例では、絶縁部が安定器と一体化されている場合について説明する。【００８２】
図８は、絶縁部と一体化された安定器Ｇ１の機能ブロックを示す図である。【００８３】
安定器Ｇ１は、蛍光灯点灯用回路Ｇ２と絶縁部Ｇ３とを有する。絶縁部Ｇ３は、電力取得部Ｇ４を介して、蛍光灯Ａ４と並列に接続される。さらに、絶縁部Ｇ３は、電源回路接続インターフェースＧ５を介して電源回路Ｅ２と接続される。【００８４】
〈第３の実施の形態〉
上記第２の実施の形態では、照明装置Ｅ２の内部に絶縁部Ａ６が位置している場合について説明した。本実施の形態では、電圧変換部Ａ７を構成する整流回路Ｃ１も照明装置内部に位置する構成について説明する。【００８５】
図９は、本実施の形態における照明装置Ｈ１と電源回路Ｈ２との接続を示す図である。【００８６】
照明装置Ｈ１は、安定器Ａ３、蛍光灯Ａ４、絶縁部Ａ６、及び整流回路Ｃ１を有する。これらの各機能は、上記第１の実施の形態と同様であるため、詳細な説明は省略する。【００８７】
図１０は、本実施の形態における電圧変換部Ｈ２の構成を示す図である。【００８８】
電圧変換部Ｈ２は、昇圧回路Ｃ２を有する。なお、昇圧回路Ｃ２の機能は第１の実施の形態と同様であるため、詳細な説明は省略する。【００８９】
〈変形例１〉
外部機器接続インターフェースＡ８には、平均電力は小さく、電源回路Ｈ２での駆動が十分に可能だが動作時には瞬間的に大きな電流を必要とする電気機器が接続される可能性がある。その場合、流れる電流の大きさによっては、上記電源回路Ｈ２では電流を供給できないことがある。そこで、本変形例では、電圧変換部に蓄電回路を構成させる場合について説明する。【００９０】
図１１は本変形例における電圧変換部Ｈ３の内部回路の一例を示す図である。【００９１】
電圧変換部Ｈ３は、昇圧回路Ｃ２及び蓄電回路Ｄ２を有する。なお、昇圧回路Ｃ２、蓄電回路Ｄ２の機能は第１の実施の形態と同様であり、詳細な説明は省略する。【００９２】
〈変形例２〉
本実施の形態では、絶縁部Ａ６と整流回路Ｃ２とは蛍光灯Ａ４に一体化されていてもよい。そこで、本変形例では絶縁部Ａ６と整流回路Ｃ２とが蛍光灯Ａ４に一体化されている構成について説明する。【００９３】
図１２は、本変形例における蛍光灯の構造を示す図面である。【００９４】
蛍光灯内部には予熱用フィラメントＦ２があり、絶縁部Ｆ１は予熱用フィラメントＦ２に対して、並列に接続される。なお、本変形例では一例として絶縁部Ｆ１はトランスによって構成されているとしている。【００９５】
整流回路Ｊ１は絶縁部Ｆ１と接続されており、絶縁部Ｆ１から取得した電圧を整流する。整流回路Ｊ１と電源回路Ｈ２とを接続するためのケーブルは、蛍光灯のガラス管Ｆ４と口金Ｆ３との間から取り出される。【００９６】
〈変形例３〉
本実施の形態では、絶縁部、及び整流回路は、安定器と一体化されてもよい。そこで、本変形例では、絶縁部及び整流回路が、安定器と一体化されている構成について説明する。【００９７】
図１３は、本変形例の構成図であり、絶縁部、整流部と一体化された安定器Ｌ１の機能ブロックを示す図である。【００９８】
安定器Ｌ１は蛍光灯点灯用回路Ｇ２と絶縁部Ｇ３、及び整流部Ｌ２を有する。絶縁部Ｇ３は、電力取得部Ｇ４を介して、蛍光灯Ａ４と並列に接続される。整流部Ｌ２は電源回路接続インターフェースＧ５を介して電源回路Ｈ２と接続される。【００９９】
〈第４の実施の形態〉
上記第３の実施の形態では、照明装置Ｈ１の内部に絶縁部Ａ６と整流回路Ｃ１とが位置している場合について説明した。本実施の形態では、電圧変換部Ｈ３を構成する昇圧回路Ｃ２も照明装置内部に位置する構成について説明する。【０１００】
図１４は、本実施の形態における照明装置Ｍ１の構成を示す図である。【０１０１】
照明装置Ｍ１は、安定器Ａ３、蛍光灯Ａ４、絶縁部Ａ６、整流回路Ｃ１、及び昇圧回路Ｃ２を有する。それぞれの機能は第１の実施の形態と同様であるため、詳細な説明は省略する。【０１０２】
〈変形例１〉
外部機器接続インターフェースＡ８には、平均電力は小さいが動作時には瞬間的に大きな電流を必要とする電気機器が接続される可能性がある。その場合、流れる電流の大きさによっては、本実施の形態のでは電流を供給できないことがある。そこで、本変形例では、蓄電回路を有する構成について説明する。【０１０３】
図１５は、本変形例における照明装置Ｎ１と電源回路Ｎ２の構成を示す図である。【０１０４】
電源回路Ｎ２は、蓄電回路Ｄ２を有する。なお、蓄電回路Ｄ２の機能は第１の実施の形態と同様であり、詳細な説明は省略する。【０１０５】
〈変形例２〉
絶縁部Ａ６と整流回路Ｃ１、昇圧回路Ｃ２は蛍光灯Ａ４に一体化されていてもよい。そこで、本変形例では、絶縁部と整流回路と昇圧回路とが蛍光灯に一体化されている構成について説明する。【０１０６】
図１６は、本変形例における蛍光灯の構造を示す図面である。【０１０７】
蛍光灯内部には予熱用フィラメントＦ２があり、絶縁部Ｆ１は予熱用フィラメントＦ２に対して、並列に接続される。なお、本変形例では一例として絶縁部Ｆ１はトランスによって構成されている場合を用いて説明する。【０１０８】
整流回路Ｊ１は絶縁部Ｆ１と接続されており、絶縁部Ｆ１から取得した電圧を整流する。また、整流回路Ｊ１は昇圧回路Ｏ１と接続されており、昇圧回路Ｏ１は外部に接続される機器が必要とする電圧に整流回路Ｊ１から供給された電圧を昇圧する。昇圧された電圧は外部機器接続インターフェースＯ２を介して、外部機器に供給される。【０１０９】
また、本実施の形態の変形例１のように電源回路Ｎ２が接続される構成であっても良い。【０１１０】
図１７は電源回路Ｎ２が接続される場合の蛍光灯の構造を示す図面である。【０１１１】
電源回路Ｎ２が接続される場合、昇圧回路Ｏ１は電源回路接続インターフェースＰ２を介して、電源回路Ｎ２と接続される。【０１１２】
〈変形例３〉
本実施の形態において、絶縁部、整流回路、及び昇圧回路は安定器と一体化されてもよい。そこで、本変形例では、絶縁部、整流回路、及び昇圧回路が安定器と一体化されている構成について説明する。
図１８は、絶縁部、整流回路、昇圧回路と一体化された安定器Ｑ１の機能ブロックを示す図である。【０１１３】
安定器Ｑ１は、蛍光灯点灯用回路Ｇ２、絶縁部Ｇ３、整流回路Ｌ２、及び昇圧回路Ｑ２を有する。絶縁部Ｇ３は、電力取得部Ｇ４を介して、蛍光灯Ａ４と並列に接続される。昇圧回路Ｑ２は整流回路Ｌ２と接続され、整流回路Ｌ２の出力電圧を外部機器が必要とする電圧に昇圧する。なお、昇圧回路Ｑ２は外部接続インターフェースＱ３を介して外部機器と接続される。【０１１４】
また、本実施の形態の変形例１のように電源回路Ｎ２が接続される構成であってもよい。【０１１５】
図１９は電源回路Ｎ２が接続される場合の安定器Ｒ１の構造を示す図面である。【０１１６】
電源回路Ｎ２が接続される場合、昇圧回路Ｑ２は電源回路接続インターフェースＲ２を介して、電源回路Ｎ２と接続される。【０１１７】
〈変形例４〉
本実施の形態および本実施の形態の変形例１〜３では、整流回路と昇圧回路とが照明装置、蛍光灯、及び安定器と一体化されている形態について説明した。しかしながら、第１の実施の形態の変形例２で説明した起動遅延回路同様に照明装置、蛍光灯、及び安定器と一体化されてもよい。【０１１８】
図２０は、本変形例における照明装置Ｗ１の構成を示す図である。【０１１９】
照明装置Ｗ１は、安定器Ａ３、蛍光灯Ａ４、絶縁部Ａ６、整流回路Ｃ１、昇圧回路Ｖ２、及び起動遅延回路Ｖ３を有する。それぞれの機能は第１の実施の形態と同様であるため、詳細な説明は省略する。【０１２０】
なお、本変形例では昇圧回路Ｖ２は、外部機器接続インターフェースを介して外部機器と接続されることになるが、変形例２のように接続インターフェースを変更することで、電源回路Ｎ２を接続する構成であってもよい。【０１２１】
また、変形例２と同様に蛍光灯Ａ４に一体化されてもよい。【０１２２】
図２１は、本変形例の蛍光灯Ａ４の構造を示す図である。【０１２３】
蛍光灯Ａ４は、絶縁部Ｆ１、整流回路Ｊ１、昇圧回路Ｘ１、及び起動遅延回路Ｘ２を有する。それぞれの機能は第１の実施の形態と同様であるため、詳細な説明は省略する。【０１２４】
また、変形例２と同様に接続インターフェースを変更することで、電源回路Ｎ２を接続する構成であってもよい。【０１２５】
また、変形例３のように安定器Ａ３と一体化されてもよい。【０１２６】
図２２は、本変形例の安定器の構造を示す図である。【０１２７】
安定器Ｙ１は、蛍光灯点灯用回路Ｇ２、絶縁部Ｇ３、整流回路Ｌ２、昇圧回路Ｙ２、及び起動遅延回路Ｙ３を有する。それぞれの機能は第１の実施の形態と同様であるため、詳細な説明は省略する。【０１２８】
また、変形例２と同様に接続インターフェースを変更することで、電源回路Ｎ２を接続する構成であってもよい。【０１２９】
〈第５の実施の形態〉
第四の実施の形態の変形例１では、照明装置の内部に絶縁部と整流回路と昇圧回路とが位置し、電源回路として蓄電回路が外部に位置している場合について説明した。本実施の形態では、蓄電回路が照明装置の内部に位置している場合について説明する。【０１３０】
図２３は、蓄電回路Ｄ２が内部に位置する照明装置Ｓ１の機能ブロックを示す図である。【０１３１】
照明装置Ｓ１は、安定器Ａ３、蛍光灯Ａ４、絶縁部Ａ６、整流回路Ｃ１、昇圧回路Ｃ２、及び蓄電回路Ｄ２を有する。それぞれの機能は上記第１の実施の形態と同様であるため、詳細な説明は省略する。【０１３２】
〈変形例１〉
本実施の形態では、絶縁部Ａ６、整流回路Ｃ１、昇圧回路Ｃ２、及び蓄電回路Ｄ２は、蛍光灯Ａ４に一体化されていてもよい。そこで、本変形例では、絶縁部Ａ６、整流回路Ｃ１、昇圧回路Ｃ２、及び蓄電回路Ｄ２が、蛍光灯Ａ４に一体化されている構成について説明する。【０１３３】
図２４は、本変形例における蛍光灯の構造を示す図面である。【０１３４】
蛍光灯内部には予熱用フィラメントＦ２があり、絶縁部Ｆ１は予熱用フィラメントＦ２に対して、並列に接続される。なお、本変形例では一例として絶縁部Ｆ１はトランスによって構成されているとしている。【０１３５】
整流回路Ｊ１は絶縁部Ｆ１と接続されており、絶縁部Ｆ１から取得した電圧を整流する。また、整流回路Ｊ１は昇圧回路Ｏ１と接続されており、昇圧回路Ｏ１は外部に接続される機器が必要とする電圧に整流回路Ｊ１から供給された電圧を昇圧する。蓄電回路Ｔ１は昇圧回路と接続され、外部機器が大きな電流を必要としない時間に充電を行い、外部機器が大きな電流を必要とする際には蓄電した電流を、外部機器接続インターフェースＯ２を介して外部機器に対して出力する。【０１３６】
〈変形例２〉
本実施の形態では、絶縁部、整流回路、昇圧回路、及び蓄電回路は安定器と一体化されてもよい。そこで、本変形例では、絶縁部、整流回路、昇圧回路、及び蓄電回路が安定器と一体化されている構成について説明する。【０１３７】
図２５は、絶縁部、整流回路、昇圧回路、蓄電回路と一体化された安定器Ｕ１の機能ブロックを示す図である。【０１３８】
安定器Ｕ１は、蛍光灯点灯用回路Ｇ２、絶縁部Ｇ３、整流回路Ｌ２、昇圧回路Ｑ２、及び蓄電回路Ｕ２を有する。絶縁部Ｇ３は、電力取得部Ｇ４を介して、蛍光灯Ａ４と並列に接続される。昇圧回路Ｑ２は整流回路Ｌ２と接続され、整流回路Ｌ２の出力電圧を外部機器が必要とする電圧に昇圧する。蓄電回路
Ｕ２は昇圧回路Ｑ２と接続され、外部機器が大きな電流を必要としない時間に充電を行い、外部機器が大きな電流を必要とする際には蓄電した電流を、外部機器接続インターフェースＱ３を介して外部機器に対して出力する。【０１３９】
〈変形例３〉
本実施の形態および本実施の形態の変形例１〜２では、整流回路と昇圧回路と蓄電回路とが照明装置、蛍光灯、及び安定器と一体化されている形態について説明した。本変形例３では、第１の実施の形態の変形例２で説明した起動遅延回路同様に、照明装置、蛍光灯、及び安定器と一体化された場合について説明する。【０１４０】
図２６は、本変形例における照明装置Ｚ１の構成を示す図である。【０１４１】
照明装置Ｚ１は、安定器Ａ３、蛍光灯Ａ４、絶縁部Ａ６、整流回路Ｃ１、昇圧回路Ｖ２、起動遅延回路Ｖ３、及び蓄電回路Ｄ２を有する。それぞれの機能は第１の実施の形態と同様であるため、詳細な説明は省略する。【０１４２】
また、変形例１と同様に蛍光灯Ａ４に一体化されてもよい。【０１４３】
図２７は、本変形例の蛍光灯Ａ４の構造を示す図である。【０１４４】
蛍光灯Ａ４は、絶縁部Ｆ１、整流回路Ｊ１、昇圧回路Ｘ１、起動遅延回路Ｘ２、蓄電回路Ｔ１とで構成される。それぞれの機能は第１の実施の形態と同様であるため、詳細な説明は省略する。【０１４５】
また、変形例２と同様に接続インターフェースを変更することで、電源回路Ｎ２を接続する構成であっても良い。【０１４６】
また、変形例２のように安定器Ａ３と一体化されてもよい。【０１４７】
図２８は、本変形例の安定器の構造を示す図である。【０１４８】
安定器ＡＢ１は、蛍光灯点灯用回路Ｇ２、絶縁部Ｇ３、整流回路Ｌ２、昇圧回路Ｙ２、起動遅延回路Ｙ３、及び蓄電回路Ｕ２を有する。それぞれの機能は第１の実施の形態と同様であるため、詳細な説明は省略する。【０１４９】
また、変形例２と同様に接続インターフェースを変更することで、電源回路Ｎ２を接続する構成であってもよい。
【図１】
2007074724.tif 000003
【図２】
2007074724.tif 000004
【図３】
2007074724.tif 000005
【図４】
2007074724.tif 000006
【図５】
2007074724.tif 000007
【図６】
2007074724.tif 000008
【図７】
2007074724.tif 000009
【図８】
2007074724.tif 000010
【図９】
2007074724.tif 000011
【図１０】
2007074724.tif 000012
【図１１】
2007074724.tif 000013
【図１２】
2007074724.tif 000014
【図１３】
2007074724.tif 000015
【図１４】
2007074724.tif 000016
【図１５】
2007074724.tif 000017
【図１６】
2007074724.tif 000018
【図１７】
2007074724.tif 000019
【図１８】
2007074724.tif 000020
【図１９】
2007074724.tif 000021
【図２０】
2007074724.tif 000022
【図２１】
2007074724.tif 000023
【図２２】
2007074724.tif 000024
【図２３】
2007074724.tif 000025
【図２４】
2007074724.tif 000026
【図２５】
2007074724.tif 000027
【図２６】
2007074724.tif 000028
【図２７】
2007074724.tif 000029
【図２８】
2007074724.tif 000030
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
蛍光灯と、この蛍光灯を点灯させる安定器とを有する照明装置に接続され、この照明装置の内部回路から電力を取得する電源回路であって、
前記内部回路と電気的に絶縁する絶縁部を有し、
前記絶縁部が、前記蛍光灯の内部の予熱用フィラメントに並列になるように接続されていることを特徴とする電源回路。
【請求項２】
前記絶縁部は、トランスによって構成されていることを特徴とする請求項１に記載の電源回路。
【請求項３】
前記電源回路は、
入力された電圧を整流して出力する整流部と、
前記照明装置と接続可能なインターフェースと、
外部電気機器と接続可能なインターフェースと
を有していることを特徴とする請求項１に記載の電源回路。
【請求項４】
前記電源回路は、
入力された電圧を昇圧して出力する昇圧部と、
前記照明装置と接続可能なインターフェースと、
外部電気機器と接続可能なインターフェースと
を有していることを特徴とする請求項１に記載の電源回路。
【請求項５】
前記昇圧部は、
印加される電圧が所定の第一の条件を満たす場合にのみ動作する動作制御部と、
前記動作制御部に接続され、前記照明装置が起動してから所定の時間が経過後に前記第一の条件を満足する電圧を前記動作制御部に対して印加する起動遅延部と
を有していることを特徴とする請求項４に記載の電源回路。
【請求項６】
前記電源回路は、
入力された電流を蓄積しておき、必要に応じて出力する蓄電部を有することを特徴とする請求項３又は請求項４に記載の電源回路。
【請求項７】
前記絶縁部が、前記照明装置の内部に構成されていることを特徴とする請求項１に記載の電源回路。
【請求項８】
前記絶縁部が、前記蛍光灯に構成されていることを特徴とする請求項１に記載の電源回路。
【請求項９】
（削除）
【請求項１０】
前記絶縁部が、前記安定器に構成されていることを特徴とする請求項１に記載の電源回路。
【請求項１１】
入力された電圧を整流して出力する整流部が、前記照明装置の内部に構成されていることを特徴とする請求項７に記載の電源回路。
【請求項１２】
入力された電圧を整流して出力する整流部が、前記蛍光灯に構成されていることを特徴とする請求項８に記載の電源回路。
【請求項１３】
入力された電圧を整流して出力する整流部が、前記安定器に構成されていることを特徴とする請求項１０に記載の電源回路。
【請求項１４】
入力された電圧を昇圧して出力する昇圧部が、前記照明装置の内部に構成されていることを特徴とする請求項１１に記載の電源回路。
【請求項１５】
入力された電圧を昇圧して出力する昇圧部が、前記蛍光灯に構成されていることを特徴とする請求項１２に記載の電源回路。
【請求項１６】
入力された電圧を昇圧して出力する昇圧部が、前記安定器に構成されていることを特徴とする請求項１３に記載の電源回路。
【請求項１７】
印加される電圧が所定の第一の条件を満たす場合にのみ動作する動作制御部と、前記動作制御部に接続され、前記照明装置が起動してから所定の時間が経過後に前記第一の条件を満足する電圧を前記動作制御部に対して印加する起動遅延部とが、前記照明装置の内部に構成されていることを特徴とする請求項１４に記載の電源回路。
【請求項１８】
印加される電圧が所定の第一の条件を満たす場合にのみ動作する動作制御部と、前記動作制御部に接続され、前記照明装置が起動してから所定の時間が経過後に前記第一の条件を満足する電圧を前記動作制御部に対して印加する起動遅延部とが、前記蛍光灯に構成されていることを特徴とする請求項１５に記載の電源回路。
【請求項１９】
印加される電圧が所定の第一の条件を満たす場合にのみ動作する動作制御部と、前記動作制御部に接続され、前記照明装置が起動してから所定の時間が経過後に前記第一の条件を満足する電圧を前記動作制御部に対して印加する起動遅延部とが、前記安定器に構成されていることを特徴とする請求項１６に記載の電源回路。
【請求項２０】
入力された電流を蓄積しておき、必要に応じて出力する蓄電部が、前記照明装置の内部に構成されていることを特徴とする請求項１７に記載の電源回路。
【請求項２１】
入力された電流を蓄積しておき、必要に応じて出力する蓄電部が、前記蛍光灯に構成されていることを特徴とする請求項１８に記載の電源回路。
【請求項２２】
入力された電流を蓄積しておき、必要に応じて出力する蓄電部が、前記安定器に構成されていることを特徴とする請求項１９に記載の電源回路。
【請求項２３】
電源回路であって、
照明装置の内部回路から取得した電力を電磁誘導によって伝達する伝達部と、
前記伝達部が伝達した電力を用いて信号を発信する発信機を接続するインターフェースと
を有し、
前記伝達部は、前記蛍光灯の内部の予熱用フィラメントに並列になるように接続されていることを特徴とする電源回路。
【請求項２４】
照明システムであって、
既設の照明装置の内部回路から取得した電力を電磁誘導によって伝達する伝達部と、
前記伝達部からの電力を用いて動作する外部電気機器と接続するインターフェースと
を有し、
前記伝達部は、前記照明装置と前記インターフェースとを電気的に絶縁するように構成され、且つ、前記蛍光灯の予熱用フィラメントに並列になるように接続されていることを特徴とする照明システム。
【請求項２５】
前記伝達部は、トランスによって構成されていることを特徴とする請求項２４に記載の照明システム。
【請求項２６】
前記伝達部からの電圧を整流する整流部を有することを特徴とする請求項２４に記載の照明システム。
【請求項２７】
前記内部回路は、前記照明装置に設けられている安定器と蛍光灯と接続するケーブル、又は前記照明装置に設けられている蛍光灯の予熱用フィラメントであることを特徴とする請求項２４に記載の照明システム。
【請求項２８】
前記伝達部から入力された電圧を昇圧して前記インターフェースに出力する昇圧部を有していることを特徴とする請求項２４に記載の照明システム。
【請求項２９】
前記昇圧部は、
印加される電圧が所定の第一の条件を満たす場合にのみ動作する動作制御部と、
前記照明装置が起動してから所定の時間が経過後に、前記第一の条件を満足する電圧を前記動作制御部に対して印加する起動遅延部と
を有していることを特徴とする請求項２８に記載の照明システム。
【請求項３０】
前記伝達部からの電流を蓄積しておき、必要に応じて出力する蓄電部を有することを特徴とする請求項２４に記載の照明システム。
【国際調査報告】
2007074724.tif 000031
2007074724.tif 000032
2007074724.tif 000033
2007074724.tif 000034